(57)【要約】      （修正有）【課題】抵抗溶接式の収納ラック積層パネルを提供する。【解決手段】第１テーパーブッシュ１、第２テーパーブッシュ２、第３テーパーブッシュ３及び第４テーパーブッシュ４と、第１フレームユニット５、第２フレームユニット６、第３フレームユニット７及び第４フレームユニット８を含み、各フレームユニットの第１金属連結ロッド９と第２金属連結ロッド１０の両端にそれぞれ接合溶接部１１が設けられ、接合溶接部が内側に折り曲げられ、接合溶接部の内側面が第１テーパーブッシュ、第２テーパーブッシュ、第３テーパーブッシュ及び第４テーパーブッシュの外壁に接合されるとともに、抵抗溶接によって一体に接続される。また、接合溶接部は外側に折り曲げられて、接合溶接部の内側面が第１テーパーブッシュ、第２テーパーブッシュ、第３テーパーブッシュ及び第４テーパーブッシュの外壁に接合されるとともに、抵抗溶接によって一体に接続されてもよい。よって、溶接しやすく、溶接コストが削減され、環境にも優しい。【選択図】図１
0003211209.tif 000002
【実用新案登録請求の範囲】
【請求項１】
第１テーパーブッシュ（１）、第２テーパーブッシュ（２）、第３テーパーブッシュ（３）及び第４テーパーブッシュ（４）と、第１フレームユニット（５）、第２フレームユニット（６）、第３フレームユニット（７）及び第４フレームユニット（８）を含み、前記第１フレームユニット（５）、第２フレームユニット（６）、第３フレームユニット（７）及び第４フレームユニット（８）は、第１金属連結ロッド（９）と第２金属連結ロッド（１０）を含み、第１金属連結ロッド（９）と第２金属連結ロッド（１０）の両端にはそれぞれ接合溶接部（１１）が備えられ、第１フレームユニット（５）と第２フレームユニット（６）における隣接する一端は、接合溶接部（１１）を介して第１テーパーブッシュ（１）の外壁に接合されるとともに、接合溶接部（１１）と第１テーパーブッシュ（１）は抵抗溶接によって一体に接続され、第２フレームユニット（６）と第３フレームユニット（７）における隣接する一端は、接合溶接部（１１）を介して第２テーパーブッシュ（２）の外壁に接合されるとともに、接合溶接部（１１）と第２テーパーブッシュ（２）は抵抗溶接によって一体に接続され、第３フレームユニット（７）と第４フレームユニット（８）における隣接する一端は、接合溶接部（１１）を介して第３テーパーブッシュ（３）の外壁に接合されるとともに、接合溶接部（１１）と第３テーパーブッシュ（３）は抵抗溶接によって一体に接続され、第１フレームユニット（５）と第４フレームユニット（８）における隣接する一端は、接合溶接部（１１）を介して第４テーパーブッシュ（４）の外壁に接合されるとともに、接合溶接部（１１）と第４テーパーブッシュ（４）は抵抗溶接によって一体に接続され、
更に、第１フレームユニット（５）、第２フレームユニット（６）、第３フレームユニット（７）及び第４フレームユニット（８）を一体に接続する載置パネル（１２）を含むことを特徴とする抵抗溶接式の収納ラック積層パネル。
【請求項２】
前記第１フレームユニット（５）、第２フレームユニット（６）、第３フレームユニット（７）及び第４フレームユニット（８）は、第１金属連結ロッド（９）と第２金属連結ロッド（１０）に接続される波型の補強材（１３）を更に含むことを特徴とする請求項１記載の抵抗溶接式の収納ラック積層パネル。
【請求項３】
前記接合溶接部（１１）は内側に折り曲げられ、接合溶接部（１１）の内側面が前記第１テーパーブッシュ（１）、第２テーパーブッシュ（２）、第３テーパーブッシュ（３）及び第４テーパーブッシュ（４）の外壁に接合されるとともに、抵抗溶接によって一体に接続されることを特徴とする請求項１記載の抵抗溶接式の収納ラック積層パネル。
【請求項４】
前記接合溶接部（１１）は外側に折り曲げられ、接合溶接部（１１）の内側面が前記第１テーパーブッシュ（１）、第２テーパーブッシュ（２）、第３テーパーブッシュ（３）及び第４テーパーブッシュ（４）の外壁に接合されるとともに、抵抗溶接によって一体に接続されることを特徴とする請求項１記載の抵抗溶接式の収納ラック積層パネル。
【請求項５】
前記第１テーパーブッシュ（１）、第２テーパーブッシュ（２）、第３テーパーブッシュ（３）及び第４テーパーブッシュ（４）は、中空の円錐台形状であることを特徴とする請求項１記載の抵抗溶接式の収納ラック積層パネル。
【請求項６】
前記第１テーパーブッシュ（１）、第２テーパーブッシュ（２）、第３テーパーブッシュ（３）及び第４テーパーブッシュ（４）のテーパー角度は、５〜２０度であることを特徴とする請求項５記載の抵抗溶接式の収納ラック積層パネル。
【請求項７】
前記載置パネル（１２）は、網板であることを特徴とする請求項１記載の抵抗溶接式の収納ラック積層パネル。
【考案の詳細な説明】
【技術分野】
【０００１】
本考案は、収納ラックの技術分野に関し、より具体的には、抵抗溶接式の収納ラック積層パネルに関する。
【背景技術】
【０００２】
日常生活においては、収納ラックに物品が載置されることが多い。従来の収納ラックにおける収納ラック積層パネルは、フレームユニット、フレームユニットに接続されるブッシュ、及びフレームユニットに接続される載置プレートから構成される。フレームユニットの連結ロッドはストレートロッドであり、フレームユニットのストレートロッド両端とブッシュとがシールド溶接（即ち、溶接ワイヤと二酸化炭素を用いた溶接）されることで、フレームユニットとブッシュとが一体に接続される。こうした構造のフレームユニットの連結ロッドの場合、抵抗溶接を用いてフレームユニットとブッシュを接続することはできない。また、溶接ワイヤと二酸化炭素を用いて溶接する必要があるため、溶接コストが高騰するほか、二酸化炭素が温室効果ガスであることから環境を汚染する恐れがあり、環境への配慮がなされていない。
【考案の概要】
【考案が解決しようとする課題】
【０００３】
本考案は、従来技術における上記の瑕疵を解消すべく、溶接ワイヤや二酸化炭素を用いることなく溶接可能なことから、溶接しやすく、溶接コストが削減され、環境に優しい抵抗溶接式の収納ラック積層パネルを提供することを目的とする。
【課題を解決するための手段】
【０００４】
上記の目的を実現するために、本考案では以下の技術方案を提供する。
【０００５】
即ち、抵抗溶接式の収納ラック積層パネルであって、第１テーパーブッシュ、第２テーパーブッシュ、第３テーパーブッシュ及び第４テーパーブッシュと、第１フレームユニット、第２フレームユニット、第３フレームユニット及び第４フレームユニットを含み、前記第１フレームユニット、第２フレームユニット、第３フレームユニット及び第４フレームユニットは、第１金属連結ロッドと第２金属連結ロッドを含み、第１金属連結ロッドと第２金属連結ロッドの両端にはそれぞれ接合溶接部が備えられ、第１フレームユニットと第２フレームユニットにおける隣接する一端は、接合溶接部を介して第１テーパーブッシュの外壁に接合されるとともに、接合溶接部と第１テーパーブッシュとが抵抗溶接によって一体に接続され、第２フレームユニットと第３フレームユニットにおける隣接する一端は、接合溶接部を介して第２テーパーブッシュの外壁に接合されるとともに、接合溶接部と第２テーパーブッシュとが抵抗溶接によって一体に接続され、第３フレームユニットと第４フレームユニットにおける隣接する一端は、接合溶接部を介して第３テーパーブッシュの外壁に接合されるとともに、接合溶接部と第３テーパーブッシュとが抵抗溶接によって一体に接続され、第１フレームユニットと第４フレームユニットにおける隣接する一端は、接合溶接部を介して第４テーパーブッシュの外壁に接合されるとともに、接合溶接部と第４テーパーブッシュとが抵抗溶接によって一体に接続され、更に、第１フレームユニット、第２フレームユニット、第３フレームユニット及び第４フレームユニットを一体に接続する載置パネルを含む。
【０００６】
好ましくは、前記接合溶接部は内側に折り曲げられ、接合溶接部の内側面が前記第１テーパーブッシュ、第２テーパーブッシュ、第３テーパーブッシュ及び第４テーパーブッシュの外壁に接合されるとともに、抵抗溶接によって一体に接続される。
【０００７】
好ましくは、前記接合溶接部は外側に折り曲げられ、接合溶接部の内側面が前記第１テーパーブッシュ、第２テーパーブッシュ、第３テーパーブッシュ及び第４テーパーブッシュの外壁に接合されるとともに、抵抗溶接によって一体に接続される。
【考案の効果】
【０００８】
従来技術と比較して、本考案は以下の有益な効果を有する。
【０００９】
即ち、本考案では、各フレームユニットの第１金属連結ロッド及び第２金属連結ロッドの両端に接合溶接部をそれぞれ設け、前記接合溶接部が内側に折り曲げられることで、接合溶接部の内側面が前記第１テーパーブッシュ、第２テーパーブッシュ、第３テーパーブッシュ及び第４テーパーブッシュの外壁に接合されるとともに、抵抗溶接により一体に接続される。また、前記接合溶接部は外側に折り曲げられて、接合溶接部の内側面が前記第１テーパーブッシュ、第２テーパーブッシュ、第３テーパーブッシュ及び第４テーパーブッシュの外壁に接合されるとともに、抵抗溶接によって一体に接続されるよう設計されてもよい。よって、溶接ワイヤや二酸化炭素を用いることなく溶接が可能なため、溶接しやすく、溶接コストが削減され、環境にも優しい。
【００１０】
本考案の実施例又は従来技術における技術方案をより明確に説明するために、以下に、実施例又は従来技術の記載において使用を要する図面について簡単に説明する。なお、以下に記載する図面は本考案の実施例の一部であって、当業者であれば、創造的労働を要さないことを前提に、これら図面から更に他の図面を取得可能であることはいうまでもない。
【図面の簡単な説明】
【００１１】
【図１】図１は、本考案における抵抗溶接式の収納ラック積層パネルの実施例１を示す立体構造図である。
【図２】図２は、図１の部分拡大図である。
【図３】図３は、本考案における抵抗溶接式の収納ラック積層パネルの実施例２を示す立体構造図である。
【図４】図４は、図３の部分拡大図である。
【考案を実施するための形態】
【００１２】
本考案の実施例の目的、技術方案及び利点をより明らかにするために、以下では、本考案の実施例の図面を組み合わせて、本考案の実施例における技術方案について明瞭簡潔に記載する。なお、記載する実施例は本考案の実施例の一部であって、実施例の全てでないことはいうまでもない。また、本考案の実施例に基づいて、当業者が創造的労働を要さずして取得するその他あらゆる実施例は、いずれも本考案の保護の範囲に属する。
【００１３】
図１及び図２を参照して、実施例１では、第１テーパーブッシュ１、第２テーパーブッシュ２、第３テーパーブッシュ３及び第４テーパーブッシュ４と、第１フレームユニット５、第２フレームユニット６、第３フレームユニット７及び第４フレームユニット８を含む抵抗溶接式の収納ラック積層パネルを提供する。前記第１フレームユニット５、第２フレームユニット６、第３フレームユニット７及び第４フレームユニット８は、第１金属連結ロッド９と第２金属連結ロッド１０を含む。第１金属連結ロッド９と第２金属連結ロッド１０の両端には、それぞれ接合溶接部１１が備えられる。第１フレームユニット５と第２フレームユニット６における隣接する一端は、接合溶接部１１を介して第１テーパーブッシュ１の外壁に接合されている。また、接合溶接部１１と第１テーパーブッシュ１とは、抵抗溶接によって一体に接続されている。第２フレームユニット６と第３フレームユニット７における隣接する一端は、接合溶接部１１を介して第２テーパーブッシュ２の外壁に接合されている。また、接合溶接部１１と第２テーパーブッシュ２とは、抵抗溶接によって一体に接続されている。第３フレームユニット７と第４フレームユニット８における隣接する一端は、接合溶接部１１を介して第３テーパーブッシュ３の外壁に接合されている。また、接合溶接部１１と第３テーパーブッシュ３とは、抵抗溶接によって一体に接続されている。第１フレームユニット５と第４フレームユニット８における隣接する一端は、接合溶接部１１を介して第４テーパーブッシュ４の外壁に接合されている。また、接合溶接部１１と第４テーパーブッシュ４とは、抵抗溶接によって一体に接続されている。更に、抵抗溶接式の収納ラック積層パネルは、第１フレームユニット５、第２フレームユニット６、第３フレームユニット７及び第４フレームユニット８を一体に接続する載置パネル１２を含む。
【００１４】
好ましくは、本実施例において、前記第１フレームユニット５、第２フレームユニット６、第３フレームユニット７及び第４フレームユニット８は、第１金属連結ロッド９と第２金属連結ロッド１０に接続される波型の補強材１３を更に含んでフレームユニットの強度を強化する。
【００１５】
好ましくは、本実施例において、前記接合溶接部１１は内側に折り曲げられ、接合溶接部１１の内側面が前記第１テーパーブッシュ１、第２テーパーブッシュ２、第３テーパーブッシュ３及び第４テーパーブッシュ４の外壁に接合されるとともに、抵抗溶接によって一体に接続される。
【００１６】
好ましくは、本実施例において、前記第１テーパーブッシュ１、第２テーパーブッシュ２、第３テーパーブッシュ３及び第４テーパーブッシュ４は中空の円錐台形状とされ、収納ラック積層パネルと収納ラックの組み立て及び位置決めが実現されやすいよう、前記第１テーパーブッシュ１、第２テーパーブッシュ２、第３テーパーブッシュ３及び第４テーパーブッシュ４のテーパー角度は５〜２０度とされる。
【００１７】
好ましくは、本実施例において、前記載置パネル１２は網板であるため、材料を節約可能となる。
【００１８】
以上述べたように、本考案では溶接ワイヤや二酸化炭素を用いることなく溶接が可能なため、溶接しやすく、溶接コストが削減され、環境にも優しい。
【００１９】
実施例２について、図３及び図４を参照する。本実施例では、前記接合溶接部１１が外側に折り曲げられ、接合溶接部１１の内側面が前記第１テーパーブッシュ１、第２テーパーブッシュ２、第３テーパーブッシュ３及び第４テーパーブッシュ４の外壁に接合されるとともに、抵抗溶接によって一体に接続される抵抗溶接式の収納ラック積層パネルを提供する。なお、その他の構造は実施例１と同様のため、ここでは繰り返し述べない。
【００２０】
いうまでもなく、前記接合溶接部１１は、第１テーパーブッシュ１、第２テーパーブッシュ２、第３テーパーブッシュ３又は第４テーパーブッシュ４の軸方向に沿って、上方又は下方に直立或いは傾斜して設けられるとともに、抵抗溶接によって対応するテーパーブッシュに対しそれぞれ一体に接続されてもよい。
【００２１】
上記実施例は本考案における好ましい実施形態である。ただし、本考案の実施形態は上記実施例に限定されず、本考案の主旨及び原理を逸脱せずに行われるその他の変形、補足、代替、組み合わせ、簡略化はいずれも等価の置換とみなされ、本考案の保護の範囲に含まれる。
【図１】
0003211209.tif 000003
【図２】
0003211209.tif 000004
【図３】
0003211209.tif 000005
【図４】
0003211209.tif 000006